(57)【要約】【課題】庫内照明装置の光源としてＬＥＤを用いる高周波調理装置において、ＬＥＤの過熱を避けられるようにする。【解決手段】高周波調理装置１の加熱室２０には、高周波発生装置２１の発振により発生する高周波が供給され、加熱室２０の内部は庫内照明装置２２により照明される。庫内照明装置２２の光源はＬＥＤ２３である。ＬＥＤ２３は冷却ファン１８が生成する空気流で冷却される。制御装置４０は、加熱室２０の扉１１が開かれて冷却ファン１８が停止したとき、またはＬＥＤ２３が所定の温度に到達したとき、ＬＥＤ２３の発光強度を下げる制御を行う。【選択図】図５
2011179740.tif 000002
【特許請求の範囲】
【請求項１】
加熱室に庫内照明装置を設けた高周波調理装置において、
前記庫内照明装置はＬＥＤを光源とするものであり、
前記ＬＥＤは当該高周波調理装置に配置されたファンが生成する空気流で冷却されるものであり、
前記ＬＥＤは、前記加熱室の扉が開かれて前記ファンが停止したとき、または当該ＬＥＤが所定の温度に到達したとき、通常発光時よりも発光強度が下がることを特徴とする高周波調理装置。
【請求項２】
前記ＬＥＤの温度を検知するため、前記ＬＥＤの近傍に温度検知装置が配置されることを特徴とする請求項１に記載の高周波調理装置。
【請求項３】
前記制御装置はデューティ制御で前記ＬＥＤの発光強度を低下させることを特徴とする請求項１または２に記載の高周波調理装置。
【発明の詳細な説明】
【技術分野】
【０００１】
本発明は高周波調理装置に関する。
【背景技術】
【０００２】
高周波（マイクロ波）で食品の分子を振動させ、それにより食品を内部から加熱する高周波調理装置は、一般的には「電子レンジ」という呼称で親しまれ、家庭の必需品となっている。
【０００３】
高周波調理装置の加熱室には、内部の状況を認識しやすくするため、庫内照明装置が設けられる。その例を特許文献１に見ることができる。
【０００４】
特許文献１記載の高周波調理装置は、照明手段から加熱室に照射される光を制御する光源制御手段を備える。光源制御手段は、照明手段が加熱室に照射する光の色か強度のいずれかを制御する。また、人体検知素子を備え、人が近づいてきたことを検知して光源制御手段により照明手段の照射する光の強度を変化させる。さらに、人体検知素子に加えて明るさセンサを備え、それぞれの検出値に応じて光源制御手段により照明手段の複数の光源の光の強度を変化させて、加熱室に照射される光の色を調整する。
【０００５】
庫内照明装置の光源として、発光ダイオード（以下、本件出願では「ＬＥＤ」の呼称を用いる）を使用する提案もなされている。その例を特許文献２に見ることができる。
【先行技術文献】
【特許文献】
【０００６】
【特許文献１】特開２００６−１７３９０号公報
【特許文献２】特開平５−１６４３３１号公報
【発明の概要】
【発明が解決しようとする課題】
【０００７】
室内照明の分野では、省エネルギーの観点から、白熱電球をＬＥＤ電球に置き換える取り組みが積極的に進められるようになっている。高周波調理装置でも、庫内照明装置の光源をＬＥＤにするのは時代の流れと言える。庫内照明装置に用いられるＬＥＤは、マグネトロン等の発熱部品を冷却する目的で設けられているファンが生成する空気流で冷却されるが、ここに一つ問題があった。
【０００８】
それは、ＬＥＤの点灯中、ファンが回転を続けているとは限らないということである。調理が終了し、加熱室の扉を開けて食品を取り出すとき、照明が消えてしまったのでは使用者に不便なので、ＬＥＤは引き続き点灯している。他方ファンの方は、調理終了後も運転を続けていたのでは音が気になり、高周波調理装置が故障したのではないかと使用者が誤解するおそれもあるので、扉を開ければ停止する構成となっている。このように、ＬＥＤは点灯しているがファンは停止しているという状態が続くとＬＥＤが自己発熱で過熱する。
【０００９】
また、扉が開かれることなくファンが回転を続けていたとしても、排気口が塞がれるなどして空気の流れが停滞すれば、ＬＥＤは過熱する。このようにＬＥＤが過熱すると、ＬＥＤ自身の品質劣化や短寿命化などの問題が生じる。
【００１０】
本発明は上記の点に鑑みなされたものであり、庫内照明装置の光源としてＬＥＤを用いる高周波調理装置において、ＬＥＤの過熱を避けられるようにすることを目的とする。
【課題を解決するための手段】
【００１１】
上記目的を達成するために本発明は、加熱室に庫内照明装置を設けた高周波調理装置において、前記庫内照明装置はＬＥＤを光源とするものであり、前記ＬＥＤは当該高周波調理装置に配置されたファンが生成する空気流で冷却されるものであり、前記ＬＥＤは、前記加熱室の扉が開かれて前記ファンが停止したとき、または当該ＬＥＤが所定の温度に到達したとき、通常発光時よりも発光強度が下がることを特徴としている。
【００１２】
また本発明は、上記構成の高周波調理装置において、前記ＬＥＤの温度を検知するため、前記ＬＥＤの近傍に温度検知装置が配置されることを特徴としている。
【００１３】
また本発明は、上記構成の高周波調理装置において、前記制御装置はデューティ制御で前記ＬＥＤの発光強度を低下させることを特徴としている。
【発明の効果】
【００１４】
本発明によると、ＬＥＤの点灯時にＬＥＤの過熱またはそのおそれが生じたときは、ＬＥＤの発光強度が下がるから、ＬＥＤは過熱するに至らない。そのため、ＬＥＤの品質劣化や短寿命化などの問題が起こりにくく、照明品質の安定した、長寿命の庫内照明装置を得ることができる。
【図面の簡単な説明】
【００１５】
【図１】本発明に係る高周波調理装置の一実施形態を示す斜視図である。
【図２】高周波調理装置の内部構造の概略を示す垂直断面図である。
【図３】加熱室底部の上面図である。
【図４】操作部の垂直断面図である。
【図５】高周波調理装置の制御回路図である。
【発明を実施するための形態】
【００１６】
以下、図に基づき本発明の実施形態である高周波調理装置１の構造を説明する。図１において、紙面の上下は高周波調理装置１の上下に一致する。また紙面左側が高周波調理装置１の左側、紙面右側が高周波調理装置１の右側であるものとする。
【００１７】
高周波調理装置１は直方体形状の板金製構造体からなる筐体１０を備える。筐体１０の内部には一回り小さな直方体形状の板金製構造体からなる加熱室２０が設けられる。加熱室２０は筐体１０の正面側が開口部となっている。筐体１０の正面には加熱室２０の開口部を開閉する金属製の扉１１が設けられる。扉１１は左側の端が蝶番１２で筐体１０に連結され、蝶番１２を支点として水平面内で回転する。
【００１８】
扉１１には加熱室２０の内部を見通す窓１３が形成される。窓１３にはパンチングメタルを２枚のガラス板で挟んだドアスクリーン１４がはめ込まれ、透視性を保ちつつ電波漏洩が防がれるようになっている。扉１１にはドアスクリーン１４以外にも電波漏洩防止対策が施され、加熱室からの気体漏洩を防ぐガスケットが取り付けられ、閉鎖状態を保つロック装置が設けられるが、それらはいずれも周知技術なので、詳細説明は省略する。
【００１９】
筐体１０には、扉１１の右側の部分に操作部１５が形成される。筐体１０の一部を構成する操作部カバー１５ａには、操作インターフェースとして、一群の操作キー１５ｂやダイヤル１５ｃが配置されている。操作キー１５ｂの上方には表示装置１５ｄが配置されている。
【００２０】
操作キー１５ｂは、３列６段計１８個が設けられている。その中には、図５に示す通り、テンキーと、「出力切替」「自動メニュー」「スタート」「とりけし」「温度」のキーが含まれる。最下段には、後述する庫内照明装置の照明色を変える「白色」「暖色」「寒色」のキーが並んでいる。なお、このような操作キー１５ｂの種類や数、配列は一例であり、発明に限定を加えるものではない。
【００２１】
図４に示す通り、操作キー１５ｂは光を透過するキーボタン１５ｅを備え、個々のキーボタン１５ｅの背後にはバックライトとなるＬＥＤ１５ｆが配置されている。ＬＥＤ１５ｆは回路基板１５ｇに実装されており、キーボタン１５ｅとそれに対応するＬＥＤ１５ｆの間には筒状の反射体１５ｈが設けられている。反射体１５ｈは、ＬＥＤ１５ｆが放つ光をキーボタン１５ｅに集め、キーボタン１５ｅの輝度を高める役割を果たす。
【００２２】
表示装置１５ｄは、回路基板１５ｇに実装された表示管などの表示素子１５ｉと、操作部カバー１５ａに形成された表示窓１５ｊを含む。表示窓１５ｊには透明合成樹脂からなるレンズがはめ込まれている。
【００２３】
回路基板１５ｇには、ダイヤル１５ｃによって回転操作されるロータリーエンコーダ１５ｋが実装されている。また、高周波調理装置１の前に人がいるかどうかを調べる人体検知素子１５ｌと、高周波調理装置１の周囲の明るさを調べる光検知素子１５ｍ（図５参照）が実装されている。
【００２４】
人体検知素子１５ｌとしては、例えば、人体から放出される赤外線を検出して人体の有無や人体の接近を検知する赤外線センサが用いられる。光検知素子１５ｍとしては、例えば、受光量に応じて抵抗値が変化するＣｄｓセルなどが用いられる。
【００２５】
人体検知素子１５ｌと光検知素子１５ｍは、ロータリーエンコーダ１５ｋの下方に左右横並びとなる形で配置される。操作部カバー１５ａには、人体検知素子１５ｌと光検知素子１５ｍのそれぞれ正面にあたる位置に、受光窓１５ｎ、１５ｏが形成されている。人体検知素子１５ｌと受光窓１５ｎの間、及び光検知素子１５ｍと受光窓１５ｏの間には、反射体１５ｈと同様の反射体１５ｐが設けられている。
【００２６】
筐体１０は脚部１６（図２参照）によってテーブルや台の上に支持される。脚部１６は正面側と背面側の左右２箇所ずつに計４個の接地部１６ａを有し、４点支持を形成する。
【００２７】
続いて高周波調理装置１の内部構造を説明する。加熱室２０の右側の側壁の外面に、高周波発生装置（マグネトロン）２１が取り付けられている。高周波発生装置２１は加熱室２０の内部に高周波を供給する。高周波発生装置２１は、操作部１５の裏側にあたる筐体１０内の空間に位置している。同じ空間に、後述する制御装置を構成する回路基板（図示せず）も配置される。
【００２８】
加熱室２０の天井壁の外面には、加熱室２０の内部を照らす庫内照明装置２２が配置される。庫内照明装置２２はＬＥＤ２３を光源とするものである。ＬＥＤ２３は複数個存在し、全体としての照明色を「白色」「暖色」「寒色」に切り替えられるようになっている。ＬＥＤ２３については、赤・緑・青のそれぞれ単色のＬＥＤをとり混ぜることとしてもよく、１個で多色に発光できるものを用いることとしてもよい。
【００２９】
加熱室２０の天井壁にはＬＥＤ２３が放つ光を通過させる光透過孔２４が矩形の集合をなすように多数形成されている。光透過孔２４の大きさや配列はドアスクリーン１４のパンチングメタルの穴と同様であり、そこから電波が漏洩することはない。
【００３０】
光透過孔２４の集合は加熱室２０の外側から直方体形状のカバー２５で覆われる。カバー２５はＬＥＤ２３を囲い込み、ＬＥＤ２３の取付ベースともなる。カバー２５はパンチングメタルからなり、ＬＥＤ２３を冷却する空気が出入りできるようになっている。
【００３１】
筐体１０の天井壁にはスリットの集合からなる排気口１７が形成され、その内側に冷却ファン１８が配置される。冷却ファン１８を運転すると、筐体１０の内部の空気が排気口１７から排気され、その結果、筐体１０の別の箇所に設けた図示しない吸気口から高周波調理装置１の外部の空気が吸い込まれる。吸い込まれた空気は冷却ファン１８の方に流れ、その空気流が高周波発生装置２１、ＬＥＤ２３、回路基板などの発熱部品を冷却する。
【００３２】
加熱室２０の底壁には、ほぼ中心の位置に、回転軸挿通穴２６が形成される。それに加えて加熱室２０の底壁には、回転軸挿通穴２６を中心に置く円形の浅い窪み２７が形成される。
【００３３】
加熱室２０には被加熱物である食品を載置するターンテーブル３０が配置される。ターンテーブル３０は平面形状円形のガラス製部材で、上面は皿のように浅く窪んでいる。ターンテーブル３０はローラーステイ３１により加熱室２０の底壁の上に支持される。ローラーステイ３１は、図３に示す通り、中心のハブ３１ａから１２０°間隔で放射状に突き出す３本のアーム３１ｂの先端にそれぞれ１個ずつのローラー３１ｃを回転自在に保持したものである。ローラー３１ｃは、窪み２７の上面とターンテーブル３０の下面の両方に接触してターンテーブル３０及び食品の重量を支える。ローラーステイ３１に対し位置ずれしないように、ターンテーブル３０の下面には３個のローラー３１ｃを囲い込む環状のリブ３０ａが形成されている。
【００３４】
ローラーステイ３１には回転軸３１ｄを通じて回転が伝えられる。回転軸３１ｄはハブ３１ａから垂下する形でハブ３１ａに一体成型されている。回転軸３１ｄは回転軸挿通穴２６を上下に通り抜ける。加熱室２０の底壁下面に突き出した回転軸３１ｄは、モータ３２の出力軸３２ａに回転不能に連結する。
【００３５】
モータ３２は竪軸であり、加熱室２０の底壁の外面に固定されたカップ状の支持ベース３３を介して加熱室２０に支持される。モータ３２は減速機構を内蔵し、出力軸３２ａを減速回転させる。出力軸３２ａが支持ベース３３を通り抜ける箇所には、支持ベース３３内からモータ側に水が漏れ出さないようにするシール部材３４が配置されている。支持ベース３３の上端は加熱室２０の底壁に密着状態で溶接されており、ここから気体や液体が漏れ出すことはない。
【００３６】
高周波調理装置１の制御システムは図５に示す構成となっている。制御装置４０はマイクロコンピュータを中核として構成され、様々な構成要素から出力信号を受け取り、また様々な構成要素に対し制御信号を出力する。
【００３７】
制御装置４０に信号を出力する構成要素には次のものが含まれる。まず一群の操作キー１５ｂがある。扉１１に対して扉開閉検知スイッチ４１が設けられており、扉開閉検知スイッチ４１を含む扉開閉検知回路４２からも制御装置４０に信号が出力される。庫内照明装置２２のＬＥＤ２３の近傍にはサーミスタからなる温度検知装置４３が配置されており、温度検知装置４３を含む温度検知回路４４からも制御装置４０に信号が出力される。
【００３８】
人体検知素子１５ｌからは人体検知回路４５を介して制御装置４０に信号が出力される。人体検知回路４５は増幅回路４５ａ、基準値回路４５ｂ、比較器４５ｃ、及び信号発生回路４５ｄを含む。光検知素子１５ｍからは信号発生回路４６を介して制御装置４０に信号が出力される。ロータリーエンコーダ１５ｋからも制御装置４０に対し信号が出力される。
【００３９】
制御装置４０が制御信号を出力する構成要素には次のものが含まれる。まず表示素子１５ｉがある。個々のキーボタン１５ｅに対応するＬＥＤ１５ｆを含む照明部４７と、冷却ファン１８の制御回路４８も制御信号出力対象である。制御回路４８はファンモータ１８ａと商用電源１９との接続をリレースイッチ４８ａで開閉するものであり、リレースイッチ４８ａのスイッチング回路４８ｂに対し制御装置４０から制御信号が出力される。
【００４０】
庫内照明装置２２の調光回路４９も制御装置４０からの制御信号出力対象である。調光回路４９はＬＥＤ２３のスイッチング回路４９ａを含み、制御装置４０は調光回路４９をデューティ制御する。
【００４１】
この他制御装置４０が制御信号を出力する構成要素としては、高周波発生装置２１に付属する高周波駆動電源（図示せず）と、モータ３２のドライバ回路（図示せず）がある。
【００４２】
高周波調理装置１の動作は次の通りである。加熱を行う場合は、ターンテーブル３０の上に被加熱物である食品を載せ、扉１１を閉じる。扉１１がきちんと閉じられると扉開閉検知スイッチ４１が導通状態になり、扉開閉検知回路４２から制御装置４０に対し、扉１１が閉じられた旨の信号が出力される。これを受けて、操作キー１５ｂを通じての指令が可能になる。またＬＥＤ１５ｆが点灯し、キーボタン１５ｅを背後から照らす。
【００４３】
使用者は、一群の操作キー１５ｂの中で必要なものを押し、調理メニューや加熱目標温度などを選択する。選択結果は表示装置１５ｄに表示される。最後に「スタート」の操作キー１５ｂを押すと、調理が開始される。制御装置４０は、高周波発生装置２１、冷却ファン１８、庫内照明装置２２、及びモータ３２のそれぞれに制御信号を出力し、それらを動作させる。
【００４４】
高周波駆動電源への通電により、高周波発生装置２１が高周波発振を開始し、加熱室２０の中の食品は高周波で加熱される。冷却ファン１８はそれが引き起こす空気流で筐体１０内の発熱部品を冷却する。モータ３２は出力軸３２ａを回転させ、出力軸３２ａはローラーステイ３１を回転させる。ローラーステイ３１が回転すると、ローラー３１ｃは、ターンテーブル３０を支えた状態で、軌道面２９の上を転動する。転動するローラー３１ｃはその上に載っているターンテーブル３０をさらに進行方向へと押しやる。ターンテーブル３０の角速度はローラーステイ３１ｃの角速度の約２倍ということになる。
【００４５】
制御装置４０は調光回路４９にスタティック信号を出し、ＬＥＤ２３を点灯させる。これにより、加熱中、庫内照明装置２２は加熱室２０の内部を照明することになる。照明の色は、デフォルトでは「白色」となっているが、調理モードに応じて「暖色」「寒色」を選択することもできる。例えば、焼き色の判断が必要なオーブン料理の場合は「白色」を選び、焼き色判断を必要としない料理では食欲をそそる「暖色」を選び、解凍や発酵など低出力での調理や、野菜の緑色を鮮やかに見せたい場合は「寒色」を選ぶ、といった使い分けが可能である。
【００４６】
照明の強度は、ダイヤル１５ｃでロータリーエンコーダ１５ｋを回すことにより調節できる。なお、操作キー１５ｂの中に照明強度の選択キーを設け、ロータリーエンコーダ１５ｋは他のパラメータの調節に用いることとしてもよい。
【００４７】
キーボタン１５ｅを照らすＬＥＤ１５ｆの発光強度は、状況により求められるレベルが異なる。昼間など、周囲がきわめて明るい環境では、使用者が見やすいようにＬＥＤ１５ｆの発光強度を十分確保する必要がある。逆に夜間など、周囲が暗い環境では、ＬＥＤ１５ｆの発光強度が昼間と同じままでだとまぶしく感じられることもある。そもそも、高周波調理装置１の前に誰もいなければ、ＬＥＤ１５ｆを点灯する必要すらない。ＬＥＤ１５ｆを無駄に、あるいは不適切に明るく点灯することは、エネルギーの浪費になるばかりでなく、ＬＥＤ１５ｆの寿命も短くする。
【００４８】
本実施形態では、上記のようなＬＥＤ１５ｆの点灯の無駄を、人体検知素子１５ｌと光検知素子１５ｍを用いて防いでいる。人体検知素子１５ｌは、人体から放出される赤外線により人体の存在をキャッチする。高周波調理装置１の前に人がいることを検知した人体検知素子１５ｌは人体検知回路４５に信号を出力する。人体検知回路４５に入力された信号は増幅回路４５ａで増幅され、比較器４５ｃで、基準値回路４５ｂが出力する基準値信号とレベルを比較される。増幅回路４５ａの出力信号レベルの方が基準値信号のレベルよりも高かった場合は、信号発生回路４５ｄから制御装置４０に対し、人体検知信号が出力される。
【００４９】
人体検知信号の出力により、ＬＥＤ１５ｆの点灯可との判定条件が満たされたことになる。これを受けて制御装置４０は、照明部４７に対し、ＬＥＤ１５ｆ点灯の制御信号を出力する。人体検知信号が出力されなければ、ＬＥＤ１５ｆの点灯可との判定条件は満たされないままであり、制御装置４０は、ＬＥＤ１５ｆ点灯の制御信号を出力しない。
【００５０】
光検知素子１５ｍは、光を検知したときは信号発生回路４６に対し信号を出力し、信号発生回路４６はそれを受けて制御装置４０に光検知信号を出力する。制御装置４０は光検知信号のレベルに基づいて高周波調理装置１周囲の明るさレベルを演算し、その演算結果に基づいて、照明部４７に対し、ＬＥＤ１５ｆの発光強度の維持または増減の制御信号を出力する。
【００５１】
制御装置４０は、「昼間のレベル」「夜間のレベル」「夜間で室内照明が消灯しているときのレベル」といった具合に、ＬＥＤ１５ｆの発光強度を複数段階に変化させる。デューティ比を調整した制御信号を出力することでその制御を行う。例えば「昼間のレベル」では、ＬＥＤ１５ｆの発光強度を１００％とするため、デューティ比１０／１０の制御信号を出力する。「夜間のレベル」では、ＬＥＤ１５ｆの発光強度を７０％とするため、デューティ比７／１０の制御信号を出力する。「夜間で室内照明が消灯しているときのレベル」では、ＬＥＤ１５ｆの発光強度を５０％とするため、デューティ比５／１０の制御信号を出力する。
【００５２】
このように、ＬＥＤ１５ｆの発光強度を周囲の明るさに応じて変え、高周波調理装置１の前に人がいないときはＬＥＤ１５ｆを点灯しないこととすることにより、電力消費量を減らし、ＬＥＤ１５ｆの寿命を延ばすことができる。
【００５３】
ＬＥＤ１５ｆに対する制御は、表示装置１５ｄと庫内照明装置２２にも適用される。すなわち、表示装置１５ｄの表示の明るさと、庫内照明装置２２の照明の明るさは、周囲が明るければ明るくし、周囲が暗ければそれに応じて暗くし、使用者が眩しさを感じない、適切な明るさとなるように制御される。明るさの制御にはＬＥＤ１５ｆの場合と同じくデューティ制御を適用することができる。高周波調理装置１の前に人がいなければ、表示装置１５ｄは表示をやめ、庫内照明装置２２は照明をやめる。
【００５４】
このように、使用者がいるかいないかによって、また周囲の明るさに応じて、表示素子１５ｉの明るさやＬＥＤ２３の発光強度をきめ細かく調整することにより、電力消費量を減らし、表示素子１５ｉやＬＥＤ２３の寿命を延ばすことができる。
【００５５】
調理開始以来所定時間が経過したことを受けて、あるいは使用者による操作を受けて、あるいは食品温度が所定値に達したことをそのために設けたセンサが検知したことを受けて、あるいは使用者が扉１１を開けかかったために扉開閉検知回路４２から扉１１が開いた旨の信号が出力されたことを受けて、制御装置４０は高周波発生装置２１、冷却ファン１８、庫内照明装置２２、及びモータ３２の動作を停止する。調理が完了していれば、使用者は扉１１を開けて食品を取り出す。
【００５６】
食品を取り出すために扉１１を開けたとき、庫内照明装置２２は点灯を続けており、使用者は明るい加熱室２０から食品を取り出すことができる。他方冷却ファン１８は、運転を継続していたのでは音が気になり、高周波調理装置１が故障したのではないかと使用者が誤解するおそれもあるので、扉１１を開けたときに停止する。このように冷却ファン１８が停止した状態で庫内照明装置２２が点灯すると、そのままではＬＥＤ２３が過熱状態になる。
【００５７】
そこで本発明では、ＬＥＤ２３が点灯しているときに冷却ファン１８を停止させることとなったことで、ＬＥＤ２３の過熱またはそのおそれがあるとの判定条件が満たされたものとする。当該判定条件が満たされたことを受けて、制御装置４０は、ＬＥＤ２３の発光強度を下げる制御を行う。すなわち調光回路４９にパルス信号を出力し、ＬＥＤ２３をデューティ制御して、例えば通常の７０％の消費電力でＬＥＤ２３を発光させる。
【００５８】
このように、加熱室２０の扉１１が開かれて冷却ファン１８が停止したとき、ＬＥＤ２３の発光強度が下がることにより、ＬＥＤ２３はそれほど熱を持たなくなり、冷却ファン１８が停止状態であっても過熱が防がれる。これにより、ＬＥＤ２３の品質の劣化が抑制され、寿命も延びる。
【００５９】
また本発明では、扉１１を閉じ、冷却ファン１８を運転しつつ調理を行っているときに温度検知装置４３が所定の温度に到達したとき、制御装置４０は、ＬＥＤ２３の温度が過熱状態またはそのおそれがある温度にまで到達したと判定する。これを受け、制御装置４０は、上記と同じようにＬＥＤ２３の発光強度を下げる。
【００６０】
このように、ＬＥＤ２３が所定の温度に到達したとき、ＬＥＤ２３の発光強度が下がることにより、ＬＥＤ２３の発熱量が小さくなって過熱が防がれるので、ＬＥＤ２３の品質の劣化が抑制され、寿命も延びる。
【００６１】
これまでの説明では、高周波加熱のみを行う高周波調理装置について述べてきたが、蒸気による加熱を併用する高周波調理装置にも本発明を適用できることは言うまでもない。
【００６２】
以上、本発明の実施形態につき説明したが、本発明の範囲はこれに限定されるものではなく、発明の主旨を逸脱しない範囲で種々の変更を加えて実施することができる。
【産業上の利用可能性】
【００６３】
本発明は高周波調理装置に広く利用可能である。
【符号の説明】
【００６４】
１    高周波調理装置
１０  筐体
１１  扉
１５  操作部
１８  冷却ファン
２０  加熱室
２１  高周波発生装置
２２  庫内照明装置
２３  ＬＥＤ
３０  ターンテーブル
４０  制御装置
４３  温度検知装置
【図１】
2011179740.tif 000003
【図２】
2011179740.tif 000004
【図３】
2011179740.tif 000005
【図４】
2011179740.tif 000006
【図５】
2011179740.tif 000007